(57)【要約】【課題】給水設備を大容量化することなく、デマンドコントローラからの警報を効率的に解除することができる補助冷却装置を提供する。【解決手段】各室外機４０の熱交換器に対して所定の噴霧パターンにより間欠噴霧を行う噴霧ユニット１０は、通信アダプタ３０と通信可能となるように接続される。また、通信アダプタ３０には、使用電力が所定時間内に設定値を超える可能性のあるときにデマンドコントローラ３３から注意信号又は警告信号が入力される。通信アダプタ３０のコントローラ３１は、注意信号又は警告信号が入力されたときに、各噴霧ユニット１０の稼動状態を取得して、間欠噴霧が行われている噴霧ユニット１０の噴霧パターンを、給水設備２０の給水能力範囲内で噴霧量が増加される噴霧パターンへと変更する。【選択図】図１
2008128523.tif 000002
【特許請求の範囲】
【請求項１】
複数台の空気調和機の室外機におけるそれぞれの熱交換器に対して水を間欠噴霧し、前記熱交換器を補助的に冷却する補助冷却装置であって、
各室外機に設けられ、各室外機の運転状態に応じた所定の噴霧パターンにより間欠噴霧を行う噴霧ユニットと、
噴霧される水を各噴霧ユニットに供給する給水設備と、
各噴霧ユニットと通信可能に接続されるとともに、前記空気調和機の電力を少なくとも含む使用電力が所定時間内に設定値を超える可能性のあるときに、その旨の信号が入力される通信アダプタとを備え、
前記通信アダプタは、前記信号が入力されたときに、各噴霧ユニットの稼動状態を取得して、間欠噴霧が行われている噴霧ユニットの噴霧パターンを、給水設備の給水能力範囲内で噴霧量が増加される噴霧パターンへと変更するとともに、前記変更された噴霧パターンに基づいて各噴霧ユニットの間欠噴霧を統括制御する制御手段を有する
ことを特徴とする補助冷却装置。
【請求項２】
請求項１に記載の補助冷却装置において、
前記制御手段は、前記噴霧パターンを変更するときに、間欠噴霧が行われている噴霧ユニットの噴霧期間を、供給される水量が給水設備の給水能力範囲内となるように順序立てて設定し、設定された噴霧期間に基づいて各噴霧ユニットの間欠噴霧を制御する
ことを特徴とする補助冷却装置。
【請求項３】
請求項２に記載の補助冷却装置において、
前記各噴霧ユニットは、対応する空気調和機の出力に応じた個数の噴霧用のノズルを有しており、
前記制御手段は、噴霧期間が重なる噴霧ユニットのノズルの数を合計した総ノズル数が、前記給水設備の給水能力から換算された同時に噴霧することができる最大ノズル数を超えないように、各噴霧ユニットの噴霧期間を設定する
ことを特徴とする補助冷却装置。
【請求項４】
請求項２又は３に記載の補助冷却装置において、
前記制御手段は、間欠噴霧が行われている噴霧ユニットをグループ分けして、噴霧ユニットのグループ毎に順次噴霧が実行されるように、各噴霧ユニットの噴霧期間を設定する
ことを特徴とする補助冷却装置。
【請求項５】
請求項２〜４のいずれか一項に記載の補助冷却装置において、
前記制御手段は、ある噴霧ユニットにおいて噴霧を開始すると、供給される水量が前記給水設備の給水能力範囲を超えると判断した場合には、当該噴霧ユニットの噴霧期間を、供給される水量が給水設備の給水能力範囲内となるまで遅延させる
ことを特徴とする補助冷却装置。
【請求項６】
請求項２〜５のいずれか一項に記載の補助冷却装置において、
前記各噴霧ユニットには、間欠噴霧が行われるときの優先順位を示す優先噴霧順位が予め設定されており、
前記制御手段は、各噴霧ユニットから前記優先噴霧順位を取得して、その優先噴霧順位に基づいて各噴霧ユニットの噴霧期間を設定する
ことを特徴とする補助冷却装置。
【請求項７】
請求項１〜６のいずれか一項に記載の補助冷却装置において、
前記通信アダプタには、前記使用電力が設定値を超える可能性の高低に応じて複数ステップの信号が入力されるように構成されており、
前記制御手段は、前記可能性が高くなるほど各噴霧ユニットの噴霧量が増加されるように前記噴霧パターンを変更する
ことを特徴とする補助冷却装置。
【発明の詳細な説明】
【技術分野】
【０００１】
本発明は、空気調和機の室外機に搭載された熱交換器に対して水を間欠噴霧し、熱交換器を補助的に冷却する補助冷却装置に関するものである。
【背景技術】
【０００２】
従来、空気調和機の室外機の熱交換器を補助的に冷却して、冷房能力の増大、及び空気調和機の省電力化を図るようにした補助冷却装置が知られている。こうした補助冷却装置においては、特許文献１に示されるように、室外機に配置された噴霧ユニットから熱交換器に対して水を間欠噴霧し、この水の顕熱及び蒸発潜熱を利用して熱交換器を冷却するようしている。この噴霧ユニットは、室外機に設けられた圧縮機の作動により空気調和機が運転中であることを検出するとともに、外気温度等により熱交換器の冷却の要否を判断する。そして、熱交換器の冷却が必要である旨判断されたときは、室外機の運転状態に応じた所定の噴霧パターンに基づいて水を間欠噴霧する。また、このような補助冷却装置を、ビルの空気調和機等、複数台の空気調和機の室外機に用いる場合には、室外機の運転状態に応じて間欠噴霧を行う噴霧ユニットが各室外機毎に設けられる。補助冷却装置の各噴霧ユニットに対しては、共用の給水設備からそれぞれ水が供給されるように構成されている。
【０００３】
また、上記のような補助冷却装置においては、特許文献２に示されるように、デマンドコントローラの信号が入力されると、空気調和機の使用電力を低下させるように制御するものが提案されている。デマンドコントローラとは、電力会社との契約によって定められた所定時間内（例えば３０分）における平均使用電力が、所定電力以上とならないように警報を発する装置である。補助冷却装置は、このデマンドコントローラから使用電力が所定時間内に設定値を超える可能性がある旨の信号を受け取ると、噴霧ユニットの間欠噴霧パターンを、より噴霧量が多くなる噴霧パターンへと変更する。これにより、空気調和機における冷房負荷をより軽減して、使用電力を低下させるようにしている。
【特許文献１】特開２００６−１０１５０号公報
【特許文献２】特開２０００−６５４０９号公報
【発明の開示】
【発明が解決しようとする課題】
【０００４】
ところで、上記のようにデマンドコントローラの信号が入力される補助冷却装置では、信号の入力によって噴霧ユニットからの噴霧量が増加されるため、給水設備の給水能力範囲を超えて噴霧ユニットに水を供給しなければならないといった状況が生じ得る。すなわち、補助冷却装置の給水設備は、通常の間欠噴霧で使用する水量をベースに配管、ポンプ等の容量が設定されているため、噴霧量が増加すると所望の水量を供給できないおそれがある。この場合、噴霧量が増加されるときに備えて、供給水量が多い給水設備を用いておくことが考えられるが、給水設備を大容量の仕様にすると設備費用や工事費用等の負担が大きくなり、空気調和機の省電力化といった補助冷却装置の使用により得られるコストメリットが低減してしまう。
【０００５】
この発明は、こうした実情に鑑みてなされたものであって、その目的は、給水設備を大容量化することなく、デマンドコントローラからの警報を効率的に解除することができる補助冷却装置を提供することにある。
【課題を解決するための手段】
【０００６】
本発明に係る補助冷却装置は、複数台の空気調和機の室外機におけるそれぞれの熱交換器に対して水を間欠噴霧し、前記熱交換器を補助的に冷却する補助冷却装置であって、各室外機に設けられ、各室外機の運転状態に応じた所定の噴霧パターンにより間欠噴霧を行う噴霧ユニットと、噴霧される水を各噴霧ユニットに供給する給水設備と、各噴霧ユニットと通信可能に接続されるとともに、前記空気調和機の電力を少なくとも含む使用電力が所定時間内に設定値を超える可能性のあるときに、その旨の信号が入力される通信アダプタとを備え、前記通信アダプタは、前記信号が入力されたときに、各噴霧ユニットの稼動状態を取得して、間欠噴霧が行われている噴霧ユニットの噴霧パターンを、給水設備の給水能力範囲内で噴霧量が増加される噴霧パターンへと変更するとともに、前記変更された噴霧パターンに基づいて各噴霧ユニットの間欠噴霧を統括制御する制御手段を有することを特徴とする。
【０００７】
同構成によれば、各室外機の運転状態に応じた所定の噴霧パターンにより間欠噴霧を行う噴霧ユニットは、通信アダプタと通信可能となるように接続される。また、通信アダプタには、使用電力が所定時間内に設定値を超える可能性のあるときに、いわゆるデマンドコントローラから信号が入力される。そして、通信アダプタの制御手段は、その信号が入力されたときに、各噴霧ユニットの稼動状態を取得して、間欠噴霧が行われている噴霧ユニットの噴霧パターンを、給水設備の給水能力範囲内で噴霧量が増加される噴霧パターンへと変更するとともに、変更された噴霧パターンに基づいて各噴霧ユニットの間欠噴霧を統括制御する。このため、デマンドコントローラの信号入力により噴霧パターンが変更されるときに、給水設備の給水能力範囲内で噴霧量が増加されるようにすることができる。従って、噴霧量が増加される噴霧パターンへの変更によって、各噴霧ユニットに供給される水量が不足してしまうような状況を回避することができる。
【０００８】
また、このような制御によって噴霧量が増加される噴霧パターンへと変更されるときに、変更される噴霧パターンの噴霧量を、給水設備の給水能力限界に極力近づけるようにすることが可能となる。これにより、既存の給水設備で供給され得る最大限の水を利用して熱交換器の冷却を行い、空気調和機の冷房負荷を速やかに低減させることができるため、デマンドコントローラからの警報を効率的に解除することができる。従って、デマンドコントローラからの警報に対応するために給水設備を大容量化しておく必要性がなくなり、設備費用や工事費用等の負担を低減することができる。
【０００９】
また、上記の構成において、前記制御手段は、前記噴霧パターンを変更するときに、間欠噴霧が行われている噴霧ユニットの噴霧期間を、供給される水量が給水設備の給水能力範囲内となるように順序立てて設定し、設定された噴霧期間に基づいて各噴霧ユニットの間欠噴霧を制御するようにしてもよい。
【００１０】
同構成によれば、通信アダプタの制御手段は、デマンドコントローラからの信号入力によって噴霧パターンを変更するときに、間欠噴霧が行われている噴霧ユニットの噴霧期間を、供給される水量が給水設備の給水能力範囲内となるように順序立てて設定するとともに、設定された噴霧期間に基づいて各噴霧ユニットの間欠噴霧を制御する。このため、同時に間欠噴霧が行われる複数の噴霧ユニット間で噴霧期間の整合をとることができ、デマンドコントローラの信号入力によって変更される噴霧パターンを、より噴霧量を増加した噴霧パターンにすることが可能となる。これにより、既存の給水設備で供給可能な水を時系列的に効率良く利用して熱交換器の冷却を行うようにすることができるため、デマンドコントローラからの警報をより効率的に解除することができる。
【００１１】
また、前記各噴霧ユニットは、対応する空気調和機の出力に応じた個数の噴霧用のノズルを有しており、前記制御手段は、噴霧期間が重なる噴霧ユニットのノズルの数を合計した総ノズル数が、前記給水設備の給水能力から換算された同時に噴霧することができる最大ノズル数を超えないように、各噴霧ユニットの噴霧期間を設定するようにしてもよい。
【００１２】
同構成によれば、通信アダプタの制御手段は、噴霧期間が重なる噴霧ユニットの総ノズル数が、給水設備の給水能力から換算された最大ノズル数を超えないように、各噴霧ユニットの噴霧期間を設定する。このため、各噴霧ユニットの噴霧量と給水設備の給水能力とをノズルの数に置き換えて容易に比較することができ、各噴霧ユニットに供給される水量が給水設備の給水能力範囲を超えてしまうことを抑えながら、各噴霧ユニットの噴霧期間を順序立てて設定することができる。
【００１３】
また、前記制御手段は、間欠噴霧が行われている噴霧ユニットをグループ分けして、噴霧ユニットのグループ毎に順次噴霧が実行されるように、各噴霧ユニットの噴霧期間を設定するようにしてもよい。
【００１４】
同構成によれば、通信アダプタの制御手段は、間欠噴霧が行われている噴霧ユニットをグループ分けして、噴霧ユニットのグループ毎に順次噴霧が実行されるように、各噴霧ユニットの噴霧期間を設定するため、グループ毎の噴霧期間の設定によって、間欠噴霧の統括制御を容易にすることができる。
【００１５】
また、前記制御手段は、ある噴霧ユニットにおいて噴霧を開始すると、供給される水量が前記給水設備の給水能力範囲を超えると判断した場合には、当該噴霧ユニットの噴霧期間を、供給される水量が給水設備の給水能力範囲内となるまで遅延させるようにしてもよい。
【００１６】
同構成によれば、通信アダプタの制御手段は、ある噴霧ユニットの噴霧開始によって供給される水量が給水設備の給水能力範囲を超えると判断した場合には、当該噴霧ユニットの噴霧期間を給水設備の給水能力範囲内となるまで遅延させる。このため、このような場合においては、デマンドコントローラの信号入力によって変更された噴霧パターンの噴霧期間を、さらに一時的に変更することによって、供給水量の不足する期間が発生してしまうことを抑えることができる。
【００１７】
また、前記各噴霧ユニットには、間欠噴霧が行われるときの優先順位を示す優先噴霧順位が予め設定されており、前記制御手段は、各噴霧ユニットから前記優先噴霧順位を取得して、その優先噴霧順位に基づいて各噴霧ユニットの噴霧期間を設定するようにしてもよい。
【００１８】
同構成によれば、通信アダプタの制御手段は、各噴霧ユニットに予め設定された優先噴霧順位に基づいて各噴霧ユニットの噴霧期間を設定するため、例えば冷房能力の確保が不可欠で冷房負荷の低減が強く求められるような空気調和機がある場合には、その室外機に設けられる噴霧ユニットの優先噴霧順位を上位に設定することで、熱交換器の冷却が優先的に行われるように噴霧期間を設定することができる。
【００１９】
また、上記の構成において、前記通信アダプタには、前記使用電力が設定値を超える可能性の高低に応じて複数ステップの信号が入力されるように構成されており、前記制御手段は、前記可能性が高くなるほど各噴霧ユニットの噴霧量が増加されるように前記噴霧パターンを変更するようにしてもよい。
【００２０】
同構成によれば、通信アダプタには、使用電力が設定値を超える可能性の高低に応じて複数ステップの信号が入力されるように構成され、制御手段は、前記可能性が高くなるほど各噴霧ユニットの噴霧量が増加されるように噴霧パターンを変更するため、前記可能性が高くなるほど、熱交換器の冷却度合いを高めて、空気調和機の冷房負荷を大きく低減させることができる。このため、使用電力が設定値を超える可能性が高くなるような場合においても、デマンドコントローラからの警報を速やかに解除することができる。
【発明の効果】
【００２１】
本発明によれば、デマンドコントローラから警報が発せられたときに、通信アダプタの制御手段は、噴霧ユニットの噴霧パターンを、給水設備の給水能力範囲内で噴霧量が増加される噴霧パターンへと変更するため、噴霧パターンの変更時に各噴霧ユニットに供給される水量が不足してしまうような状況を回避することができる。また、制御手段の統括制御によって、変更される噴霧パターンの噴霧量を、給水設備の給水能力限界に極力近づけることができるため、既存の給水設備で供給され得る最大限の水を利用して熱交換器の冷却を行い、空気調和機の冷房負荷を速やかに低減させることが可能となる。このため、デマンドコントローラからの警報を効率的に解除することができる。
【発明を実施するための最良の形態】
【００２２】
以下、図１〜１２を参照して、本発明を具体化した補助冷却装置の一実施形態について説明する。
図１は補助冷却装置１と空気調和機の室外機４０との構成を示す概略図である。補助冷却装置１は、複数台の室外機４０におけるそれぞれの熱交換器に対して水を間欠噴霧し、熱交換器を補助的に冷却するものである。補助冷却装置１は、各室外機４０の運転状態に応じた所定の噴霧パターンにより間欠噴霧を行う噴霧ユニット１０と、噴霧される水を各噴霧ユニット１０に供給する給水設備２０と、各噴霧ユニット１０と通信可能に接続される通信アダプタ３０とを備える。
【００２３】
噴霧ユニット１０は、各室外機４０に設けられるとともに、室外機４０の熱交換器に対して水を間欠噴霧する。間欠噴霧は、水の噴霧を行う噴霧期間と水の噴霧を休止する乾燥期間とが一定の周期をもって交互に繰り返される所定の噴霧パターンによって行われる。図２は噴霧ユニット１０を搭載した室外機４０の概略断面図である。室外機４０は、ビルの屋上等に配置されるとともに、図示しない室内機に連絡配管を介して接続されている。室外機４０は、ケーシング４１内に配置された熱交換器４２と、この熱交換器４２に対向するように配置されたファン４３とを備えている。空気調和機の運転時には、ファン４３の回転によって熱交換器４２側から外気を吸入する。熱交換器４２は、複数のフィン４４に複数の冷媒管４５を貫通させて構成され、冷房運転時にはファン４３により吸い込まれた空気と熱交換を行い、冷媒管４５内を流通する冷媒を冷却する。なお、噴霧ユニット１０が搭載される室外機４０は、熱交換器４２及びファン４３が異なる形態で配置されるものであってもよい。
【００２４】
噴霧ユニット１０は、熱交換器４２に対して水を噴霧するノズル１１と、水の噴霧態様を制御する噴霧制御部１２とを備える。ノズル１１は、取付枠１３により室外機４０に取り付けられるとともに、噴霧制御部１２を介して水が供給される配管１４に接続されている。噴霧制御部１２は、室外機４０の上面に配置され、その内部に、噴霧制御を司る制御基板１５と、配管１４上に設けられた電磁弁１６と、外気温度を検出するサーミスタ１７とを備えている。制御基板１５は、室外機４０に搭載された圧縮機の吐出管の温度を検出する吐出管サーモ（図示せず）と接続されている。制御基板１５は、吐出管の温度に基づいて、圧縮機が作動状態にあるか否かを検出して、空気調和機が運転中であるか否かを判断する。
【００２５】
電磁弁１６は、開弁状態と閉弁状態との間で切り換えられる切換弁であり、制御基板１５によって開閉駆動される。電磁弁１６の開弁時には、配管１４を介してノズル１１に水が供給され、ノズル１１から熱交換器４２に対して水が噴霧される。
【００２６】
サーミスタ１７の検出信号は制御基板１５に入力される。制御基板１５は、サーミスタ１７の検出信号により外気温度が所定の温度以上になったことを検出すると、冷房負荷が大きくなっていると判断する。すなわち、制御基板１５は、空気調和機が運転中である旨判断し、且つ外気温度が所定の温度以上になったことを検出すると、空気調和機の冷房負荷が大きくなったと判断して、水の間欠噴霧を開始する。ノズル１１から熱交換器４２に対して水が噴霧されると、噴霧された水の顕熱及び蒸発潜熱によって、熱交換器４２が冷却され、冷房能力が増大する。
【００２７】
給水設備２０は、図１に示すように、既設の給水栓２１から水を取り出し、各噴霧ユニット１０に給水配管２２を通じて水が供給されるように構成される。給水配管２２には、給水弁２３と加圧装置２４とが設けられている。給水弁２３は、その開閉によって、各噴霧ユニット１０への給水可能状態と給水停止状態とを切り換える。加圧装置２４は、給水栓２１における水圧が不足している場合に設置され、ポンプにより水圧を増加させて給水量を確保する。給水配管２２は、下流側で分岐され、各噴霧ユニット１０の噴霧制御部１２に接続される。
【００２８】
通信アダプタ３０は、各噴霧ユニット１０の間欠噴霧を統括制御する制御手段としてのコントローラ３１を有する。コントローラ３１と各噴霧ユニット１０の制御基板１５とは、ケーブル３２によってシリアル接続され、これによりコントローラ３１と制御基板１５との間で通信が行われる。各噴霧ユニット１０の制御基板１５には、それぞれ固有のアドレスが設定されている。コントローラ３１は、アドレスに対応したデータを送受信することで、各噴霧ユニット１０の間欠噴霧を制御する。
【００２９】
また、通信アダプタ３０には、デマンドコントローラ３３からの信号が入力される。デマンドコントローラ３３は、電力会社との契約によって定められた所定時間内（例えば３０分）における平均使用電力が、所定電力以上とならないように警報を発する装置である。通信アダプタ３０のコントローラ３１には、補助冷却装置１が装着されている空気調和機の電力を少なくとも含む使用電力が、所定時間内に設定値を超える可能性のあるときに、その旨の信号が入力される。
【００３０】
図３は、前記所定時間Ｔ内における、時間と電力の積算値との関係を示したものである。実線Ａは、現時点Ｔａまでに実際に使用された電力の積算値の一例を示したものであり、破線Ｂは、目標電力の積算値を示している。目標電力の積算値は、電力会社との契約によって定められた契約電力Ｃを、各時間毎に略均等に消費した場合の積算値を示している。デマンドコントローラ３３は、所定時間Ｔ経過時に、使用電力の最終積算値Ｄが目標電力の最終積算値Ｅ超えないように警報を発する。
【００３１】
また、デマンドコントローラ３３は、平均使用電力が設定値を超える可能性の高低に応じて複数ステップの信号を発するように構成されている。本実施形態のデマンドコントローラ３３では、前記可能性の低い場合には注意信号が発せられ、前記可能性の高い場合には警告信号が発せられる。例えば、注意信号は、現時点における使用電力の積算値が目標電力の積算値以上となる場合、すなわち実線Ａが破線Ｂを上回る場合（時点Ｔｂのような状態）に発せられ、警告信号は、現時点における使用電力の積算値が目標電力の積算値よりも所定電力値以上となる場合（時点Ｔｃのような状態）に発せられる。
【００３２】
通信アダプタ３０のコントローラ３１は、デマンドコントローラ３３から注意信号又は警告信号を受け取ると、間欠噴霧が行われている噴霧ユニット１０の噴霧パターンを、給水設備２０の給水能力範囲内で噴霧量が増加される噴霧パターンへと変更する。そして、変更された噴霧パターンに基づいて各噴霧ユニット１０の間欠噴霧を統括制御し、空気調和機における冷房負荷をより軽減させる。これにより、空気調和機の使用電力を低下させ、使用電力の最終積算値Ｄが目標電力の最終積算値Ｅを超えないような制御を行う。
【００３３】
次に、補助冷却装置１における通信アダプタ３０と各噴霧ユニット１０との接続形態を具体例を用いて説明する。図４は、その接続形態の一例を示したブロック図である。通信アダプタ３０には、１６台の噴霧ユニット１０ａ，１０ｂ，１０ｃ…１０ｐがシリアル接続されている。各噴霧ユニット１０は、対応する空気調和機の出力に応じた個数のノズル１１を有している。６台の噴霧ユニット１０ａ，１０ｆ，１０ｈ，１０ｊ，１０ｍ，１０ｐは空気調和機の出力が６馬力（ＨＰ）であり、これに対応して各噴霧ユニットがそれぞれ１．６個のノズル数を有している。また、４台の噴霧ユニット１０ｃ，１０ｅ，１０ｋ，１０ｎは空気調和機の出力が１６ＨＰであり、これに対応して各噴霧ユニットがそれぞれ４．８個のノズル数を有している。また、３台の噴霧ユニット１０ｄ，１０ｇ，１０ｏは空気調和機の出力が３０ＨＰであり、これに対応して各噴霧ユニットがそれぞれ１２個のノズル数を有している。また、３台の噴霧ユニット１０ｂ，１０ｉ，１０ｌは空気調和機の出力が６０ＨＰであり、これに対応して各噴霧ユニットがそれぞれ２４個のノズル数を有している。各噴霧ユニット１０のノズル数は、通信アダプタ３０のコントローラ３１に入力される。なお、ここで用いるノズル数は、ノズル１１の噴霧容量を各噴霧ユニット１０間で整合性をとるように設定しているため、小数点以下の数値を含むノズル数として表記している。
【００３４】
また、１６台の噴霧ユニット１０ａ，１０ｂ，１０ｃ…１０ｐには、間欠噴霧が行われるときの優先順位を示す優先噴霧順位が予め設定されている。例えば、冷房能力の確保が不可欠で冷房負荷の低減が強く求められるような空気調和機がある場合には、その室外機４０に設けられる噴霧ユニット１０の優先噴霧順位は上位に設定される。図４の補助冷却装置１では、噴霧ユニット１０ａ，１０ｂ…の順に優先噴霧順位が１位，２位…となるように設定されている。各噴霧ユニット１０の優先噴霧順位は、通信アダプタ３０のコントローラ３１に入力される。
【００３５】
次に、このように構成される補助冷却装置１において、噴霧ユニット１０に水を供給する給水配管２２の選定方法について説明する。給水設備２０には、一般的に各噴霧ユニット１０で同時に噴霧が行われる場合の水量をある程度確保できるような給水能力を有する給水配管２２が選定されている。本実施形態では、後述する通信アダプタ３０のコントローラ３１の制御によって、各噴霧ユニット１０間で間欠噴霧時における噴霧期間の整合がとられるため、供給可能な水量を極力小さくした給水配管２２が選定されている。これにより、給水設備２０を小容量化して、設備費用や工事費用を低減するようにしている。以下に、図４の構成例を用いて、給水配管２２の具体的な選定方法について説明する。
【００３６】
給水配管２２の選定を行うときには、まず補助冷却装置１に設けられている全体ノズル数Ｎａを求める。全体ノズル数Ｎａは、１６台の噴霧ユニット１０のノズル数を足し合わせることで求められ、この場合には１３６．８個となる。
【００３７】
次いで、全ての噴霧ユニット１０の中で、最も小さいグループ数Ｇｎを求める。グループ数とは、ある噴霧ユニット１０における間欠噴霧の１周期の間に、その噴霧ユニット１０の噴霧期間が重ならないように何グループの噴霧期間を設けることができるかを表す数である。図５（ａ）は各噴霧ユニット１０の噴霧期間の標準時間と乾燥期間の標準時間との一例、及びグループ数を示したものである。各噴霧ユニット１０の噴霧期間及び乾燥期間は、同図に示すように、装着される空気調和機の出力によって時間が異なるため、そのグループ数も各噴霧ユニット１０間で異なってくる。例えば、６ＨＰの空気調和機に装着される噴霧ユニット１０においては、間欠噴霧の１周期が１６．５秒であり、図５（ｂ）に示すように、３グループの噴霧期間を順次設けることができるため、グループ数は３となる。また、同様の手順でグループ数を求めると、１６ＨＰの空気調和機に装着される噴霧ユニット１０のグループ数は３となり、３０ＨＰ及び６０ＨＰの空気調和機に装着される噴霧ユニット１０のグループ数は４となる。このため、最も小さいグループ数Ｇｎとして３が求められる。
【００３８】
次いで、各噴霧ユニット１０をグループ数Ｇｎにグループ分けして各グループのノズル数が均等になるようにした場合の噴霧ノズル数Ｎｂを求める。噴霧ノズル数Ｎｂは、ノズル数が均等割されたグループ毎に噴霧を行うと仮定した場合に、同時に噴霧される最大のノズル数を示すものである。噴霧ノズル数Ｎｂは、全体ノズル数Ｎａをグループ数Ｇｎで除することで求められ、図４の構成では４５．６個となる。
【００３９】
次いで、噴霧ノズル数Ｎｂに基づいて給水配管２２の配管径を求める。図５（ｃ）は、同時に噴霧される最大のノズル数と、そのときに必要な給水配管２２の配管径との関係を示す表である。この表は、ノズル１個当たりの噴霧量が７３．５（リットル／時）の場合の、ノズル数と配管径との関係を示している。図４の構成では、噴霧ノズル数Ｎｂが４５．６個であることから、３０Ａの配管径が選定される。すなわち、給水設備２０の給水配管２２として３０Ａ以上の配管径を選定しておくと、各噴霧ユニット１０で間欠噴霧が同時に行われる際にも供給水量が確保され得ることになる。
【００４０】
そして、通信アダプタ３０のコントローラ３１には、選定された給水配管２２の配管径から算出される最大ノズル数Ｎｃが設定される。最大ノズル数Ｎｃは、選定された給水配管２２が同時に水を供給することができる最大のノズル数を示すものである。図３の構成では、給水配管２２の配管径は３０Ａであるため、図５（ｃ）の３０Ａにおけるノズル数の最大値、すなわち５７．１個が最大ノズル数Ｎｃとなる。
【００４１】
次に、デマンドコントローラ３３からの注意信号又は警告信号が入力されたときに、通信アダプタ３０のコントローラ３１が行う、各噴霧ユニット１０の間欠噴霧の統括制御について説明する。コントローラ３１は、注意信号又は警告信号が入力されたときに、各噴霧ユニット１０の稼動状態を取得して、間欠噴霧が行われている噴霧ユニット１０の噴霧パターンを、給水設備２０の給水能力範囲内で噴霧量が増加される噴霧パターンへと変更する。このときに、コントローラ３１は、使用電力が設定値を超える可能性が高くなるほど各噴霧ユニットの噴霧量が増加されるように噴霧パターンを変更する。すなわち、警告信号が入力されたときに変更される噴霧パターンは、注意信号が入力されたときに変更される噴霧パターンよりも、噴霧量が増加されるような噴霧パターンとなる。
【００４２】
コントローラ３１は、噴霧パターンを変更するときに、間欠噴霧が行われている噴霧ユニット１０の噴霧期間を、供給される水量が給水設備２０の給水能力範囲内となるように順序立てて設定する。各噴霧ユニット１０の噴霧期間を設定する際には、噴霧期間が重なる噴霧ユニット１０のノズルの数を合計した総ノズル数が最大ノズル数Ｎｃを超えないようにし、これにより供給される水量が給水設備２０の給水能力範囲内となるようにする。
【００４３】
最初に、コントローラ３１にデマンドコントローラ３３から注意信号が入力された場合の制御について説明する。注意信号が入力されると、コントローラ３１は、各噴霧ユニット１０毎に設定されている噴霧パターンを、それぞれ噴霧量が多くなるような噴霧パターンに変更する。図６は噴霧パターンの変更態様を示したものである。図６（ａ）は、注意信号が入力される前、すなわち通常噴霧状態における噴霧パターンを示すものであり、図６（ｂ）は、注意信号の入力によって変更される噴霧パターンを示すものである。いずれの噴霧パターンも、噴霧期間Ｔ１，Ｔ４と乾燥期間Ｔ２，Ｔ５とが一定の周期Ｔ３，Ｔ６をもって交互に繰り返されるが、図６（ｂ）における繰り返し周期に対する噴霧期間の割合Ｔ４／Ｔ６は、図６（ａ）における繰り返し周期に対する噴霧期間の割合Ｔ１／Ｔ３よりも高く設定される。このため、図６（ａ）の噴霧パターンから図６（ｂ）の噴霧パターンへの変更によって、間欠噴霧の噴霧量が増加される。このように、コントローラ３１は、注意信号が入力されたときに間欠噴霧を行っている噴霧ユニット１０の全てにおいて、噴霧パターンを噴霧量が増加される噴霧パターンへと変更する。
【００４４】
図７は、図４の構成においてデマンドコントローラ３３からの注意信号が入力されたときに、コントローラ３１により設定された各噴霧ユニット１０の噴霧順序を示すタイムチャートである。図７では、１６台の全ての噴霧ユニット１０が稼動状態、すなわち間欠噴霧が行われている状態にある場合の噴霧例を示している。また、図中の枠で囲われた範囲に対応する時間が、各噴霧ユニット１０の噴霧期間を示しており、枠内には優先順位、出力、噴霧時間、ノズル数を記載している。
【００４５】
コントローラ３１は、デマンドコントローラ３３から注意信号が入力されたとき（図７の時間が０のとき）を基準として１６台の噴霧ユニットにおける噴霧期間の設定を行い、まず噴霧パターンが変更された後に最初に行われる初回噴霧の噴霧期間の設定を行う。このときに、コントローラ３１は、同時に間欠噴霧が行われる噴霧ユニット１０をグループ分けして、噴霧ユニット１０のグループ毎に順次噴霧が実行されるように初回噴霧の噴霧期間を設定する。噴霧ユニット１０のグループ分けは、各噴霧ユニット１０に設定されている優先噴霧順位に基づいて行われる。すなわち、コントローラ３１は、優先噴霧順位が上位の噴霧ユニット１０が、先に噴霧されるグループに属するようにグループ分けを行う。
【００４６】
コントローラ３１は、図７に示すように、噴霧ユニット１０ａ，１０ｂ，１０ｃ，１０ｄ，１０ｅ，１０ｆ，１０ｈ，１０ｊ，１０ｋを第１グループとして選出し、噴霧ユニット１０ｇ，１０ｉ，１０ｍ，１０ｎ，１０ｏ，１０ｐを第２グループとして選出し、噴霧ユニット１０ｌを第３グループとして選出する。そして、第１グループ、第２グループ、第３グループの順に噴霧期間が設けられるようにし、このグループ順に噴霧を実行させる。下段の総ノズル数Ｎｄは、各時間において噴霧が実行されているノズルの総和をとったものである。上記のような噴霧期間の設定によって、噴霧量が増加される噴霧パターンに変更された場合においても、総ノズル数Ｎｄがいずれの時間においても最大ノズル数Ｎｃを超えないように順序立てて噴霧が行われる。
【００４７】
コントローラ３１は、初回噴霧を実行させた後、各噴霧ユニット１０毎の変更された噴霧パターンにより、各噴霧ユニット１０に噴霧を行わせる。図７に示すように、各噴霧ユニット１０は、各々の噴霧パターンで２回目以降の噴霧を行う。
【００４８】
図８は、このような間欠噴霧が行われるときに、コントローラ３１によって行われる制御を示した噴霧実行ルーチンのフローチャートである。この噴霧実行ルーチンは、コントローラ３１にデマンドコントローラ３３から注意信号が入力されたときに実行される。注意信号が入力されて噴霧実行ルーチンが開始されると、コントローラ３１は、各噴霧ユニット１０の稼動状態を取得する（ステップＳ１１０）。各噴霧ユニット１０は、対応する空気調和機が運転中であり、且つ外気温度が所定の温度以上となっているときに間欠噴霧を行う。コントローラ３１は、全ての噴霧ユニットのうち、どの噴霧ユニット１０が間欠噴霧を実行しているかを取得する。そして、間欠噴霧が実行されている全ての噴霧ユニット１０の噴霧を一時的に停止し（ステップＳ１２０）、予め設定されている最大ノズル数Ｎｃを確認する（ステップＳ１３０）。
【００４９】
次いで、コントローラ３１は、間欠噴霧が実行されていた各噴霧ユニット１０の噴霧パターンを、給水設備２０の給水能力範囲内で噴霧量が増加される噴霧パターンに変更する（ステップＳ１４０）。間欠噴霧が実行されていた各噴霧ユニット１０において各々個別に噴霧量が増加されると、給水設備２０の給水能力範囲を超えて噴霧ユニット１０に水を供給しなければならないといった状況が生じ得る。このため、コントローラ３１は、給水設備２０の給水能力範囲内で噴霧量が増加されるように、最大ノズル数Ｎｃに基づいて各噴霧ユニット１０の噴霧パターンを変更する。すなわち、噴霧パターンが変更された場合の時間当たりの平均使用水量に相当するノズル数が、最大ノズル数Ｎｃを超えないように各噴霧ユニット１０の噴霧パターンを変更する。
【００５０】
そして、コントローラ３１は、変更された噴霧パターンに基づいて、各噴霧ユニット１０の噴霧時期を設定し、各噴霧ユニット１０に噴霧を行わせる。コントローラ３１は、最大ノズル数Ｎｃに基づいて、間欠噴霧が実行されていた噴霧ユニット１０の中から、初回噴霧する第１グループの噴霧ユニット１０を選出し、選出された噴霧ユニット１０に噴霧を行わせる（ステップＳ１５０）。次いで、コントローラ３１は、最大ノズル数Ｎｃに基づいて、ステップＳ１５０で噴霧されなかった噴霧ユニットの中から、初回噴霧する第２グループの噴霧ユニット１０を選出し、選出された噴霧ユニット１０に噴霧を行わせる（ステップＳ１６０）。そして、同様の手順をもってグループ毎に噴霧を行わせ、グループ分けされた最後の第ｎグループの噴霧ユニット１０を選出して噴霧を行わせることで（ステップＳ１７０）、間欠噴霧が実行されていた全ての噴霧ユニット１０の初回噴霧を終了させる。
【００５１】
初回噴霧が終了した後には、各噴霧ユニット１０毎に変更された噴霧パターンにより、各噴霧ユニット１０に噴霧を継続して行わせる（ステップＳ１８０）。そして、デマンドコントローラ３３からの注意信号が解除されたとき、又はデマンドコントローラ３３から新たに警告信号が入力されたときに、この噴霧実行ルーチンを終了する。
【００５２】
ここで、噴霧実行ルーチンのステップＳ１５０〜Ｓ１７０で処理される噴霧ユニット１０の選出について説明する。図９は、これらのステップで噴霧ユニット１０を選出するときに、コントローラ３１によって実行される噴霧ユニット選出ルーチンのフローチャートである。噴霧ユニット選出ルーチンが開始されると、コントローラ３１は、選出対象となる噴霧ユニット１０の中で、優先順位が最も上位の噴霧ユニットを選出する（ステップＳ２１０）。例えば、図７のように全ての噴霧ユニットが間欠噴霧を行う状態にある場合に、噴霧実行ルーチンのステップＳ１５０で第１グループの噴霧ユニットを選出するときには、優先順位が１位の噴霧ユニット１０ａが選出される。また、図７の第１グループが噴霧を行った後に、噴霧実行ルーチンのステップＳ１６０で第２グループの噴霧ユニットを選出するときには、優先順位が７位の噴霧ユニット１０ｇが選出される。
【００５３】
次いで、コントローラ３１は、最大ノズル数Ｎｃと積算ノズル数Ｎｅとを比較する（ステップＳ２２０）。積算ノズル数Ｎｅとは、このステップが処理されるまでに、コントローラ３１が選出した噴霧ユニット１０の全てのノズル数を合計した値である。例えば、噴霧ユニット１０ａのみが選出されている場合には、積算ノズル数Ｎｅが１．６になり、噴霧ユニット１０ａと噴霧ユニット１０ｂとが選出されている場合には、積算ノズル数Ｎｅが２５．６となる。
【００５４】
積算ノズル数Ｎｅが最大ノズル数Ｎｃよりも小さいとき（ステップＳ２２０でＮｅ＜Ｎｃ）には、噴霧ユニット１０に供給される水量に対して、給水設備２０の給水能力に余裕があることを示している。従って、Ｎｅ＜Ｎｃの場合には、コントローラ３１は、給水設備２０の給水能力を有効に利用するため、給水能力範囲内でより多くの噴霧ユニット１０を同時に噴霧させるように、グループに追加する噴霧ユニット１０の選定を行う。
【００５５】
コントローラ３１は、こうした選定に先立って、他に選出対象となる噴霧ユニット１０が残されているか否かを判定する（ステップＳ２３０）。他に選出対象となる噴霧ユニット１０が残されているとき（ステップＳ２３０でＹＥＳ）には、選出対象として残された噴霧ユニット１０のうち、優先順位が最も上位の噴霧ユニットを追加選出し（ステップＳ２４０）、ステップＳ２２０に戻る。一方、他に選出対象となる噴霧ユニット１０が残されていないとき（ステップＳ２３０でＮＯ）には、それまでに選出された噴霧ユニット１０を１つのグループとして決定し（ステップＳ２５０）、この噴霧ユニット選出ルーチンを終了する。
【００５６】
また、積算ノズル数Ｎｅが最大ノズル数Ｎｃよりも大きいとき（ステップＳ２２０でＮｅ＞Ｎｃ）には、噴霧ユニット１０に供給される水量が、給水設備２０の給水能力を超えていることを示している。従って、Ｎｅ＞Ｎｃの場合には、コントローラ３１は、供給される水量が給水設備２０の給水能力範囲内となるように、既に選定されている噴霧ユニット１０をグループから除外する又はノズル数のより少ない他の噴霧ユニット１０に置き換える。
【００５７】
このため、コントローラ３１は、既に選定されている噴霧ユニット１０のうち、優先順位が最も下位の噴霧ユニットをグループから除外する（ステップＳ２６０）。そして、他に選出対象となる噴霧ユニット１０が残されているか否かを判定する（ステップＳ２７０）。他に選出対象となる噴霧ユニット１０が残されているとき（ステップＳ２７０でＹＥＳ）には、選出対象として残された噴霧ユニット１０のうち、優先順位が最も上位の噴霧ユニットを追加選出し（ステップＳ２８０）、ステップＳ２２０に戻る。一方、他に選出対象となる噴霧ユニット１０が残されていないとき（ステップＳ２７０でＮＯ）には、それまでに選出された噴霧ユニットを１つのグループとして決定し（ステップＳ２５０）、この噴霧ユニット選出ルーチンを終了する。
【００５８】
また、積算ノズル数Ｎｅが最大ノズル数Ｎｃと等しいとき（ステップＳ２２０でＮｅ＝Ｎｃ）には、噴霧ユニット１０に供給される水量が、給水設備２０の給水能力と同等であることを示している。このときには、新たな噴霧ユニット１０をグループに追加、又は既に選出されている噴霧ユニット１０をグループから除外する必要がないため、それまでに選出された噴霧ユニット１０を１つのグループとして決定し（ステップＳ２５０）、この噴霧ユニット選出ルーチンを終了する。
【００５９】
以上のように、噴霧ユニット選出ルーチンでは、積算ノズル数Ｎｅと最大ノズル数Ｎｃとを比較することにより、優先順位を考慮しながら噴霧ユニット１０のグループへの追加、及び噴霧ユニット１０のグループからの除外を順次判断し、同時に噴霧されるグループを決定する。
【００６０】
例えば、図７で初回噴霧される第１グループを選出する場合においては、ステップＳ２１０で噴霧ユニット１０ａが選出された後に、ステップＳ２２０〜Ｓ２４０の繰り返しにより、噴霧ユニット１０ｂ，１０ｃ，１０ｄ，１０ｅ，１０ｆ，１０ｇがそれぞれ追加選出される。このとき、積算ノズル数Ｎｅが６０．８個となって、最大ノズル数Ｎｃの５７．１個を超えるため、ステップＳ２２０でＮｅ＞Ｎｃとなり、ステップＳ２６０〜Ｓ２８０で噴霧ユニット１０ｇの除外と噴霧ユニット１０ｈの追加選出が行われる。
【００６１】
そして、このときの積算ノズル数Ｎｅが５０．４個となり、ステップＳ２３０，Ｓ２４０で噴霧ユニット１０ｉの追加選出が行われ、これにより積算ノズル数Ｎｅが７４．４個となるため、ステップＳ２６０〜Ｓ２８０で噴霧ユニット１０ｉの除外と噴霧ユニット１０ｊの追加選出が行われる。続いて、このときの積算ノズル数Ｎｅが５２個となり、ステップＳ２３０，Ｓ２４０で噴霧ユニット１０ｋの追加選出が行われ、これにより積算ノズル数Ｎｅが５６．８個となるため、ステップＳ２３０，Ｓ２４０で噴霧ユニット１０ｌの追加選出が行われる。
【００６２】
そして、その後にステップＳ２２０，Ｓ２６０〜Ｓ２８０の繰り返しによって、噴霧ユニット１０ｌの除外及び噴霧ユニット１０ｍの追加選出、噴霧ユニット１０ｍの除外及び噴霧ユニット１０ｎの追加選出、噴霧ユニット１０ｎの除外及び噴霧ユニット１０ｏの追加選出、噴霧ユニット１０ｏの除外及び噴霧ユニット１０ｐの追加選出が順次行われる。次いで、ステップＳ２２０を経てステップＳ２６０で噴霧ユニット１０ｐが除外された後に、ステップＳ２７０で他に選出対象がなくなることから、ステップＳ２５０に進んでグループが決定される。このように、初回噴霧される第１グループには、噴霧ユニット１０ａ，１０ｂ，１０ｃ，１０ｄ，１０ｅ，１０ｆ，１０ｈ，１０ｊ，１０ｋの９台の噴霧ユニットが選出される。また、同様の手順をもって、第２グループ及び第３グループの選出も行われる。
【００６３】
このようにして、コントローラ３１は、決定されたグループにおける積算ノズル数Ｎｅ、すなわち噴霧期間が重なる噴霧ユニット１０のノズルの数を合計した総ノズル数Ｎｄが、給水設備２０の給水能力から換算された最大ノズル数Ｎｃを超えないようにするとともに、総ノズル数Ｎｄを最大ノズル数Ｎｃに極力近づけるようにグループを設定する。
【００６４】
次に、噴霧実行ルーチンのステップＳ１８０で処理される噴霧ユニット１０の２回目以降の噴霧について説明する。コントローラ３１は、２回目以降の噴霧については、各噴霧ユニット１０毎に設定された噴霧パターンにより噴霧を行わせる。このとき、図７のＦに示すように、ある噴霧ユニットにおいて噴霧を開始すると、供給される水量が給水設備２０の給水能力範囲を超えてしまうような場合がある。このため、コントローラ３１は、各噴霧ユニット１０で２回目以降の噴霧が行われる際に、供給される水量が給水設備２０の給水能力範囲内となるような制御を行う。
【００６５】
図１０は、コントローラ３１によって実行される噴霧時期制御ルーチンのフローチャートである。この噴霧時期制御ルーチンは、各噴霧ユニット１０の噴霧期間が開始される直前に毎回実行される。噴霧時期制御ルーチンが実行されると、コントローラ３１は、現在噴霧が行われている噴霧ユニットを検出する（ステップＳ３１０）。そして、直後に噴霧が開始されようとしている噴霧ユニット（以下、対象噴霧ユニットという）において噴霧が開始された場合の総ノズル数Ｎｄと、最大ノズル数Ｎｃとを比較する（ステップＳ３２０）。すなわち、現在噴霧が行われている噴霧ユニットのノズル数の総和に、対象噴霧ユニットのノズル数を足し合わせて総ノズル数Ｎｄを算出し、この総ノズル数Ｎｄと最大ノズル数Ｎｃとを比較する。
【００６６】
総ノズル数Ｎｄが最大ノズル数Ｎｃ以下のとき（ステップＳ３２０でＮｄ≦Ｎｃ）には、対象噴霧ユニットの噴霧が開始された場合においても、供給される水量が給水設備２０の給水能力範囲内にあることを示している。従って、Ｎｄ≦Ｎｃの場合には、コントローラ３１は、対象噴霧ユニットの所定の噴霧パターンに沿って噴霧を開始させ（ステップＳ３３０）、この噴霧時期制御ルーチンを終了する。
【００６７】
総ノズル数Ｎｄが最大ノズル数Ｎｃよりも大きいとき（ステップＳ３２０でＮｄ＞Ｎｃ）には、対象噴霧ユニットにおいて噴霧が開始されると、噴霧ユニット１０に供給される水量が給水設備２０の給水能力を超えることを示している。このため、Ｎｄ＞Ｎｃの場合には、供給される水量が給水設備２０の給水能力範囲内となるようにする必要がある。そこで、コントローラ３１は、対象噴霧ユニットが複数台であるか否かを判定する（ステップＳ３４０）。対象噴霧ユニットが１台である場合（ステップＳ３４０にてＮＯ）には、その対象噴霧ユニットの噴霧期間を、供給される水量が給水設備２０の給水能力範囲内となるまで遅延させて（ステップＳ３５０）、この噴霧時期制御ルーチンを終了する。
【００６８】
一方、対象噴霧ユニットが複数台である場合（ステップＳ３４０にてＹＥＳ）には、優先順位順に給水設備２０の給水能力範囲内で噴霧可能な対象噴霧ユニットを選出する（ステップＳ３６０）。例えば、対象噴霧ユニットが３台あり、優先順位が上位の２台だけの噴霧であれば給水設備２０の給水能力範囲内となるようなときには、その２台の対象噴霧ユニットを選出する。そして、選出された対象噴霧ユニットの噴霧を開始させるとともに、他の対象噴霧ユニットの噴霧期間を供給される水量が給水設備２０の給水能力範囲内となるまで遅延させて（ステップＳ３７０）、この噴霧時期制御ルーチンを終了する。
【００６９】
以上のように、噴霧時期制御ルーチンでは、対象噴霧ユニットの噴霧期間開始前に総ノズル数Ｎｄと最大ノズル数Ｎｃとを比較することによって、供給される水量が給水設備２０の給水能力範囲を超えてしまうと判断される場合には、対象噴霧ユニットの噴霧期間を遅延させるようにしている。
【００７０】
例えば、図７のＦで噴霧ユニット１０ｇと噴霧ユニット１０ｌとの噴霧期間が同時に開始される場合では、総ノズル数Ｎｄが６０個となるため、ステップＳ３２０においてＮｄ＞Ｎｃとなる。また、対象噴霧ユニットは複数台であることからステップＳ３４０でＹＥＳとなり、ステップＳ３６０に進む。このときに、優先順位が上位の噴霧ユニット１０ｇのみの噴霧であれば総ノズル数Ｎｄが３６個になるため、ステップＳ３６０で噴霧ユニット１０ｇが選出される。そして、ステップＳ３７０で噴霧ユニット１０ｇのみ噴霧が開始されて、噴霧ユニット１０ｌの噴霧は遅延される。噴霧ユニット１０ｌの噴霧は、供給される水量が給水設備２０の給水能力範囲内となるとき、すなわち噴霧ユニット１０ｉの噴霧期間が終了するときに開始される。
【００７１】
このように、供給される水量が給水設備２０の給水能力範囲を超えてしまうような場合には、対象噴霧ユニットの噴霧期間を一時的に変更して遅延させることで、供給水量の不足する期間が生じることを抑えている。また、対象噴霧ユニットが複数台ある場合には、優先順位に基づいて一部の対象噴霧ユニットのみを噴霧開始させるとともに、他の対象噴霧ユニットの噴霧期間を遅延させることで、極力多くの対象噴霧ユニットを噴霧パターン通りに噴霧させるようにしている。
【００７２】
以上のようにして、コントローラ３１は、デマンドコントローラ３３から注意信号が入力されたときに、各噴霧ユニット１０の噴霧パターンを、給水設備２０の給水能力範囲内で噴霧量が増加される噴霧パターンに変更する。このため、空気調和機の冷房負荷が速やかに低減されて、デマンドコントローラ３３からの警告信号が効率的に解除される。
【００７３】
次に、コントローラ３１にデマンドコントローラ３３から警告信号が入力された場合の制御について説明する。コントローラ３１は、警告信号が入力された場合においても、注意信号が入力された場合と同様に、各噴霧ユニット１０毎に設定されている噴霧パターンを、それぞれ噴霧量が多くなるような噴霧パターンに変更する。図１１は変更される噴霧パターンの一例を示したタイムチャートである。警告信号が入力された場合には、間欠噴霧が実行されている噴霧ユニット１０が、３つのグループにグループ分けされる。噴霧ユニット１０のグループ分けは、各グループにおける全ての噴霧ユニット１０のノズル数の総和が最大ノズル数Ｎｃ以下となるように行われる。そして、同グループの噴霧ユニット１０が同じ噴霧パターンで同時に噴霧を行うように噴霧時期が制御される。
【００７４】
図１１（ａ），（ｂ），（ｃ）は、それぞれ第１グループ、第２グループ、第３グループの噴霧パターン及び噴霧タイミングを示している。同図に示すように、各グループの噴霧パターンは同様に設定され、噴霧期間Ｔ７と乾燥期間Ｔ８とが一定の周期Ｔ９をもって交互に繰り返される。そして、第１グループ、第２グループ、第３グループ、第１グループ…の順に順次噴霧期間Ｔ７が設けられるように、噴霧タイミングが設定される。すなわち、警告信号が入力された場合には、全ての噴霧ユニット１０の噴霧パターンが同一となり、グループ毎に順次噴霧が行われる。これにより、いずれの噴霧ユニット１０も噴霧していないような期間が設けられることを防止して、給水設備２０により供給される水を最大限利用できるような噴霧パターンとなるようにし、注意信号が入力されたときに変更される噴霧パターンよりも噴霧量が増加されるようにしている。
【００７５】
図１２は、図４の構成においてデマンドコントローラ３３からの警告信号が入力されたときに、コントローラ３１により設定された各噴霧ユニット１０の噴霧順序を示すタイムチャートである。図１２では、１６台の全ての噴霧ユニット１０が稼動状態、すなわち間欠噴霧が行われている状態にある場合の噴霧例を示している。また、図中の枠で囲われた範囲に対応する時間が、各噴霧ユニット１０の噴霧期間を示しており、枠内には優先順位、出力、噴霧時間、ノズル数を記載している。
【００７６】
コントローラ３１は、デマンドコントローラ３３から警告信号が入力されたとき（図１２の時間が０のとき）を基準として１６台の噴霧ユニットにおける噴霧期間の設定を行う。このときに、コントローラ３１は、図１１に示すような噴霧態様となるように、間欠噴霧が行われている噴霧ユニット１０をグループ分けして、噴霧ユニット１０のグループ毎に順次噴霧が実行されるように初回噴霧、２回目噴霧…の噴霧期間を設定する。すなわち、全ての噴霧ユニット１０は、噴霧期間Ｔ７が３秒で乾燥期間Ｔ８が６秒の噴霧パターンに設定され、グループ毎に順次噴霧が行われる。噴霧ユニット１０のグループ分けは、各噴霧ユニット１０に設定されている優先噴霧順位に基づいて行われるため、デマンドコントローラ３３から注意信号が入力された場合と同様のグループ分けが行われる。下段の総ノズル数Ｎｄは、各時間において噴霧が実行されているノズルの総和をとったものである。上記のような噴霧期間の設定によって、噴霧量が更に増加される噴霧パターンに変更された場合においても、総ノズル数Ｎｄがいずれの時間においても最大ノズル数Ｎｃを超えないように順序立てて噴霧が行われる。
【００７７】
また、このような間欠噴霧が行われるときに、コントローラ３１によって行われる制御は、図８の噴霧実行ルーチンと同様の手順をもって実行される。すなわち、コントローラ３１にデマンドコントローラ３３から警告信号が入力されたときに、各噴霧ユニット１０の噴霧パターンが噴霧量の増加する噴霧パターンに変更され、各グループの噴霧ユニット１０の選出及び噴霧が順次実行される。そして、デマンドコントローラ３３からの警告信号が解除されたときに、噴霧実行ルーチンが終了する。なお、各グループの噴霧ユニット１０の選出についても、図９の噴霧ユニット選出ルーチンと同様の手順をもって実行される。
【００７８】
以上のようにして、コントローラ３１は、デマンドコントローラ３３から警告信号が入力されたときに、各噴霧ユニット１０の噴霧パターンを、給水設備２０の給水能力範囲内で噴霧量が増加される噴霧パターンに変更する。変更される噴霧パターンは、注意信号の入力によって変更される噴霧パターンよりも噴霧量が増加するように設定されるため、空気調和機の冷房負荷がより速やかに低減されて、デマンドコントローラ３３からの警告信号が効率的に解除される。
【００７９】
上記実施形態によれば、以下のような効果を得ることができる。
（１）上記実施形態では、各室外機４０の運転状態に応じた所定の噴霧パターンにより間欠噴霧を行う噴霧ユニット１０は、通信アダプタ３０と通信可能となるように接続される。また、通信アダプタ３０には、使用電力が所定時間内に設定値を超える可能性のあるときにデマンドコントローラ３３から注意信号又は警告信号が入力される。通信アダプタ３０のコントローラ３１は、注意信号又は警告信号が入力されたときに、各噴霧ユニット１０の稼動状態を取得して、間欠噴霧が行われている噴霧ユニット１０の噴霧パターンを、給水設備２０の給水能力範囲内で噴霧量が増加される噴霧パターンへと変更する。このため、デマンドコントローラ３３の信号入力により噴霧パターンが変更されるときに、給水設備２０の給水能力範囲内で噴霧量が増加されるようにすることができる。従って、噴霧量が増加される噴霧パターンへの変更によって、各噴霧ユニット１０に供給される水量が不足してしまうような状況を回避することができる。
【００８０】
（２）上記実施形態では、通信アダプタ３０のコントローラ３１は、注意信号又は警告信号が入力されたときに、給水設備２０の給水能力に基づいて噴霧量が増加される噴霧パターンへと変更するため、変更される噴霧パターンの噴霧量を、給水設備の給水能力限界に極力近づけるようにすることができる。このため、既存の給水設備２０で供給され得る最大限の水を利用して熱交換器４２の冷却を行い、空気調和機の冷房負荷を速やかに低減させることができるため、デマンドコントローラ３３からの警報を効率的に解除することができる。従って、デマンドコントローラ３３からの警報に対応するために給水設備２０を大容量化しておく必要性がなくなり、給水配管２２、加圧装置２４、給水弁２３等の設備の小型化及び使用数量削減を図ることができ、設備費用や工事費用等の負担を低減することができる。
【００８１】
（３）上記実施形態では、通信アダプタ３０のコントローラ３１は、デマンドコントローラ３３からの信号入力によって噴霧パターンを変更するときに、間欠噴霧が行われている噴霧ユニット１０の噴霧期間を、供給される水量が給水設備２０の給水能力範囲内となるように順序立てて設定する。このため、同時に間欠噴霧が行われる複数の噴霧ユニット１０間で噴霧期間の整合をとることができ、デマンドコントローラ３３の信号入力によって変更される噴霧パターンを、より噴霧量を増加した噴霧パターンにすることが可能となる。これにより、既存の給水設備２０で供給可能な水を時系列的に効率良く利用して熱交換器４２の冷却を行うようにすることができるため、デマンドコントローラ３３からの警報をより効率的に解除することができる。
【００８２】
（４）上記実施形態では、各噴霧ユニット１０には、対応する空気調和機の出力に応じた個数のノズル１１が設けられ、通信アダプタ３０のコントローラ３１は、噴霧期間が重なる噴霧ユニット１０の総ノズル数Ｎｄが、給水設備２０の給水能力から換算された最大ノズル数Ｎｃを超えないように、各噴霧ユニット１０の噴霧期間を設定する。このため、各噴霧ユニット１０の噴霧量と給水設備２０の給水能力とをノズルの数に置き換えて容易に比較できるようにすることができ、こうした比較によって、各噴霧ユニット１０に供給される水量が給水設備２０の給水能力範囲を超えてしまうことを好適に防止することができる。
【００８３】
（５）上記実施形態では、通信アダプタ３０のコントローラ３１は、注意信号又は警告信号が入力されたときに、同時に間欠噴霧が行われている噴霧ユニット１０を第１グループ、第２グループ…にグループ分けして、グループ毎に順次噴霧が実行されるように各噴霧ユニット１０の噴霧期間を設定する。このため、グループ毎の噴霧期間の設定によって、間欠噴霧の統括制御を容易にすることができる。また、グループ分けを行う際には、噴霧期間が重なる噴霧ユニット１０の総ノズル数Ｎｄを最大ノズル数Ｎｃに極力近づけるようにグループを設定するため、給水設備２０の給水能力を最大限に利用した噴霧態様にすることができる。
【００８４】
（６）上記実施形態では、通信アダプタ３０のコントローラ３１は、各噴霧ユニット１０に予め設定された優先噴霧順位に基づいて各噴霧ユニット１０の噴霧期間を設定する。このため、例えば冷房能力の確保が不可欠で冷房負荷の低減が強く求められるような空気調和機がある場合には、その室外機４０に設けられる噴霧ユニット１０の優先噴霧順位を上位に設定することで、熱交換器４２の冷却が優先的に行われるように噴霧期間を設定することができる。
【００８５】
（７）上記実施形態では、通信アダプタ３０のコントローラ３１は、注意信号の入力により噴霧ユニット１０の噴霧パターンが変更されたときに、対象噴霧ユニットの噴霧開始によって供給される水量が給水設備２０の給水能力範囲を超えると判断した場合には、対象噴霧ユニットの噴霧期間を給水設備の給水能力範囲内となるまで遅延させる。このため、対象噴霧ユニットの噴霧パターンの噴霧期間を一時的に変更することによって、供給水量の不足する期間が発生してしまうことを抑えることができる。また、対象噴霧ユニットが複数台ある場合には、優先順位に基づいて一部の対象噴霧ユニットのみを噴霧開始させるとともに、他の対象噴霧ユニットの噴霧期間を遅延させることで、極力多くの対象噴霧ユニットを噴霧パターン通りに噴霧させることができる。
【００８６】
（８）上記実施形態では、通信アダプタ３０のコントローラ３１は、警告信号が入力されたときに変更される噴霧パターンを、注意信号が入力されたときに変更される噴霧パターンよりも、噴霧量が増加されるような噴霧パターンにする。このため、空気調和機等の使用電力が設定値を超える可能性の高低に応じて、噴霧パターンを変更することができ、前記可能性が高くなり警告信号が入力されるような場合においても、デマンドコントローラ３３からの警報を速やかに解除することができる。
【００８７】
（９）上記実施形態では、通信アダプタ３０のコントローラ３１は、各噴霧ユニット１０にそれぞれ設定された固有のアドレスに対応したデータを送受信することで各噴霧ユニット１０の間欠噴霧を制御するため、各噴霧ユニット１０の噴霧パターン等の管理が容易となる。また、こうしたアドレス管理によって、噴霧ユニットが追加、削除された場合や、別仕様のものと交換された場合に、補助冷却装置１に設けられている噴霧ユニット１０をコントローラ３１が確実に認識できるようにすることができる。
【００８８】
なお、上記実施形態は以下のように変更してもよい。
・上記実施形態では、通信アダプタ３０には、デマンドコントローラ３３から注意信号及び警告信号の２ステップの信号が入力されるように構成されているが、３ステップ以上の信号が入力されるように構成されていてもよいし、１ステップのみの信号が入力されるように構成されていてもよい。
【００８９】
・上記実施形態では、通信アダプタ３０のコントローラ３１は、各噴霧ユニット１０の稼動状態等により間欠噴霧を制御するようにしているが、給水設備２０を流通する水の流速又は流量を計測する計測手段を更に設けて、コントローラ３１が、計測手段による計測結果に基づいて間欠噴霧をフィードバック制御するようにしてもよい。この場合、例えば図１に示すように、給水設備２０の給水配管２２に、流通する水の流速又は流量を計測する計測手段２５を設け、計測手段２５による計測結果がコントローラ３１に入力されるようにすることができる。このようにすると、噴霧ユニット１０からの噴霧状態や給水設備２０の給水能力の余裕度等を実際の計測値により把握することができるため、噴霧パターンが変更されたときの噴霧期間の設定等、間欠噴霧の制御をより的確に行うことができる。
【００９０】
・上記実施形態では、通信アダプタ３０のコントローラ３１は、総ノズル数Ｎｄと最大ノズル数Ｎｃとの比較により、供給される水量が給水設備２０の給水能力範囲内となるように制御しているが、噴霧ユニット１０の配管１４内における水の流量等、ノズル数以外の値を用いて、このような制御を行うようにしてもよい。
【００９１】
・上記実施形態では、通信アダプタ３０のコントローラ３１は、デマンドコントローラ３３からの信号入力によって噴霧パターンを変更するときに、噴霧ユニット１０のグループ毎に順次噴霧が実行されるように噴霧期間を設定しているが、グループ分けを行わずに、噴霧ユニット１０の噴霧期間を個々に設定するようにしてもよい。
【００９２】
・上記実施形態では、通信アダプタ３０のコントローラ３１は、各噴霧ユニット１０に予め設定された優先噴霧順位に基づいて各噴霧ユニット１０の噴霧期間を設定しているが、優先噴霧順位設定を用いずに噴霧期間の設定を行うようにしてもよい。
【００９３】
・上記実施形態では、通信アダプタ３０のコントローラ３１と各噴霧ユニット１０の制御基板１５とを、シリアル接続することで通信可能に構成しているが、コントローラ３１と各制御基板１５とをパラレル接続することで通信可能に構成してもよい。
【００９４】
・上記実施形態では、通信アダプタ３０のコントローラ３１は、各噴霧ユニット１０に設定されているアドレスに対応したデータを送受信することで、各噴霧ユニット１０の間欠噴霧を制御しているが、他の形式によって通信を行うようにしてもよい。また、各噴霧ユニット１０に対するアドレスの設定は、コントローラ３１が自動的に割り振るようにしてもよいし、噴霧ユニット１０の室外機４０への装着時に予め設定しておくようにしてもよい。
【００９５】
・上記実施形態では、各噴霧ユニット１０は、制御基板１５による電磁弁１６の開閉駆動によって水の噴霧を行うが、電磁弁１６を開度が変更できるように構成し、制御基板１５による電磁弁１６の開度調整によって、噴霧量を変更しながら噴霧を行うようにしてもよい。この場合、電磁弁１６の開度調整を付加することにより、各噴霧ユニット１０の間欠噴霧を様々な噴霧態様にすることができ、噴霧パターンが変更されたときの噴霧期間の設定自由度を大きくすることができる。
【図面の簡単な説明】
【００９６】
【図１】補助冷却装置と空気調和機の室外機との構成を示す概略図。
【図２】噴霧ユニットを搭載した室外機の概略断面図。
【図３】所定時間内における、時間と電力の積算値との関係を示したグラフ。
【図４】通信アダプタと各噴霧ユニットとの接続状態を示すブロック図。
【図５】（ａ）は各噴霧ユニットの噴霧パターンの一態様を示す表、（ｂ）は噴霧ユニットのグループ数を示す図、（ｃ）は配管径とノズル数との関係を示す表。
【図６】（ａ）は通常噴霧状態における噴霧パターンを示すタイムチャート、（ｂ）は注意信号の入力によって変更される噴霧パターンを示すタイムチャート。
【図７】注意信号の入力時における各噴霧ユニットの噴霧態様を示すタイムチャート。
【図８】信号入力時における噴霧実行ルーチンのフローチャート。
【図９】噴霧ユニット選出ルーチンのフローチャート。
【図１０】噴霧時期制御ルーチンのフローチャート。
【図１１】（ａ），（ｂ），（ｃ）は警告信号の入力によって変更される噴霧パターンを示すタイムチャート。
【図１２】警告信号の入力時における各噴霧ユニットの噴霧態様を示すタイムチャート。
【符号の説明】
【００９７】
１…補助冷却装置、１０…噴霧ユニット、１１…ノズル、１２…噴霧制御部、１５…制御基板、１６…電磁弁、２０…給水設備、２２…給水配管、２３…給水弁、２４…加圧装置、３０…通信アダプタ、３１…コントローラ、３３…デマンドコントローラ、４０…室外機、４２…熱交換器。
【図１】
2008128523.tif 000003
【図２】
2008128523.tif 000004
【図３】
2008128523.tif 000005
【図４】
2008128523.tif 000006
【図５】
2008128523.tif 000007
【図６】
2008128523.tif 000008
【図７】
2008128523.tif 000009
【図８】
2008128523.tif 000010
【図９】
2008128523.tif 000011
【図１０】
2008128523.tif 000012
【図１１】
2008128523.tif 000013
【図１２】
2008128523.tif 000014